(57)【要約】【課題】  伝達情報の重複を排除し記憶装置に蓄積する情報量を少なくする。【解決手段】  差分更新処理により、情報Ａの位置情報（Ｘ１、Ｘ２、Ｘ３）と情報Ｂの位置情報（Ｘ１、Ｘ２、Ｘ４）が比較され、情報Ａに含まれていない異なる位置情報（Ｘ４）の情報Ｂだけが情報Ａに追加される。次に、同じ位置情報（Ｘ１、Ｘ２）の情報Ａと情報Ｂの端末ＩＤ（Ａ、Ｂ、ＣとＡ、Ｘ／Ｄ、Ｅ、ＦとＤ、Ｅ、Ｙ）が比較され、情報Ａに含まれていない異なる端末ＩＤ（Ｘ／Ｙ）の情報Ｂだけが情報Ａに追加される。このとき、端末ＩＤ（Ｘ／Ｙ）を追加した位置情報（Ｘ１／Ｘ２）のカウントがそれぞれ３から４へアップされる。【選択図】      図１１
2005159398.tif 000002
【特許請求の範囲】
【請求項１】
情報Ａを有する第１の装置と、
情報Ｂを有する第２の装置と、
前記第１の装置と前記第２の装置との間に無線による伝送路を形成して両者を接続する接続手段とを有し、
前記第２の装置は情報Ｂを前記伝送路を介して前記第１の装置へ送信する送信手段を備え、
前記第１の装置は、
前記第２の装置から受信した情報Ｂと前記第１の装置が有する情報Ａとの比較を行う比較手段と、
該比較手段により情報Ａと情報Ｂの差分情報Ｃが検出された場合には、該差分情報Ｃを新たな付加情報として追加し、情報Ａを情報Ａ＋Ｃに更新する更新手段とを備えることを特徴とする情報伝達システム。
【請求項２】
前記第１の装置は、更新後の情報Ａ＋Ｃを前記伝送路を介して前記第２の装置へ送信する送信手段を備え、
前記第２の装置は、前記第１の装置から受信した情報Ａ＋Ｃを新たな保有情報として上書きし、情報Ｂを情報Ａ＋Ｃに更新する更新手段とをさらに備えることを特徴とする請求項１記載の情報伝達システム。
【請求項３】
前記更新手段は、前記比較手段により情報Ａと情報Ｂの差分情報Ｃが検出されなかった場合には、情報Ａの更新を行わないことを特徴とする請求項１記載の情報伝達システム。
【請求項４】
前記送信手段には、非公開情報の送信を阻止する機能を持たせたことを特徴とする請求項１記載の情報伝達システム。
【請求項５】
前記送信手段は、前記第１の装置が指定した収集条件に基づいて、前記第２の装置が有する情報Ｂを前記第１の装置へ送信し、
前記比較手段は、前記収集条件に基づいて、前記第２の装置から受信した情報Ｂと前記第１の装置が有する情報Ａとの比較を行うことを特徴とする請求項１記載の情報伝達システム。
【請求項６】
前記収集条件は、情報のカテゴリを識別する識別情報、情報源を特定する地域情報、位置情報および装置ＩＤのいずれかであることを特徴とする請求項５記載の情報伝達システム。
【請求項７】
情報Ａを有する第１の装置と情報Ｂを有する第２の装置との間の情報伝達方法であって、
前記第１の装置と前記第２の装置との間に無線による伝送路を形成して両者を接続する接続ステップと、
前記第２の装置が有する情報Ｂを前記伝送路を介して前記第１の装置へ送信する第１の送信ステップと、
前記第１の装置において前記第２の装置から受信した情報Ｂと前記第１の装置が有する情報Ａとの比較を行う比較ステップと、
該比較ステップにおいて情報Ａと情報Ｂの差分情報Ｃが検出された場合には、該差分情報Ｃを新たな付加情報として追加し、情報Ａを情報Ａ＋Ｃに更新する第１の更新ステップとを有することを特徴とする情報伝達方法。
【請求項８】
前記第１の装置が更新後の情報Ａ＋Ｃを前記伝送路を介して前記第２の装置へ送信する第２の送信ステップと、
前記第２の装置において前記第１の装置から受信した情報Ａ＋Ｃを新たな保有情報として上書きし、情報Ｂを情報Ａ＋Ｃに更新する第２の更新ステップとをさらに有することを特徴とする請求項７記載の情報伝達方法。
【発明の詳細な説明】
【技術分野】
【０００１】
本発明は、無線通信可能な距離に近付いた情報端末同士を無線接続して一方が保有する情報を他方に伝達する情報伝達システムおよび情報伝達方法に関する。
【背景技術】
【０００２】
初めて訪れた場所やたびたび訪れる場所、あるいは普段住み慣れている場所で、例えば「得意先の接待に使えるレストラン」、「とんこつラーメンの美味しい店」、「矯正治療の上手な歯科医」などその店や施設の味やサービスを実際に体験して知っている数多くの利用者から寄せられた投稿による口コミ情報をその場で入手して参考にすることができると非常に便利である。
このような口コミ情報は新聞やテレビなどのマスメディアで取り上げられることは少なく、本当の意味の口コミ情報はガイドブックや情報誌を開いてもなかなか得ることができないのが現状であった。
【０００３】
このような問題を解決するため、例えば特開２００３−７８９３５号公報には利用者が携帯可能な無線装置を持ち歩くことによって必要な口コミ情報を一度に大量に収集することができる情報伝達システムが提案されている。
【０００４】
このシステムは、収集側装置と提供側装置が無線通信可能な距離に近付くと通信リンクを確立し、提供側装置が収集側装置の収集条件に適合するコンテンツを保持している場合はそれを自己コンテンツ格納部から読み込んで収集側装置に送信し、収集側装置は受信したコンテンツを収集コンテンツ格納部に格納して必要な情報を手に入れるというものである。このとき、提供側装置の収集コンテンツ格納部に格納されているコンテンツも同様に収集側装置に伝達してもよいとしている。
【０００５】
しかしながら、このような方法で情報を伝達した場合、例えば最初に装置Ａが装置Ｂと装置Ｃから情報を収集すると装置Ａの保持情報はａ＋ｂ＋ｃとなる。次に装置Ｂが装置Ａと装置Ｃから情報を収集すると装置Ｂの保持情報はｂ＋ａ＋ｂ＋ｃ＋ｃとなる。さらに装置Ｃが装置Ａと装置Ｂから情報を収集すると装置Ｃの保持情報はｃ＋ａ＋ｂ＋ｃ＋ｂ＋ａ＋ｂ＋ｃ＋ｃとなり、大量の情報が重複して雪だるま式に情報量が膨らんでしまう。
そのため、それぞれの装置に無駄な情報が大量に蓄積され、多くの情報が雑音となって検索効率を著しく低下させ、また、記憶装置の容量を不必要に増大させてしまう。
【特許文献１】特開２００３−７８９３５号公報
【発明の開示】
【発明が解決しようとする課題】
【０００６】
解決しようとする問題点は、従来の情報伝達方法では大量の情報が重複して記憶装置に膨大な情報が蓄積されてしまう点であり、本発明は、伝達情報の重複を排除して記憶装置に蓄積される情報量を少なくすることを目的になされたものである。
【課題を解決するための手段】
【０００７】
本発明の情報伝達システムは、第１の装置が有する情報Ａと第２の装置から受信した情報Ｂの差分情報Ｃが検出された場合には、差分情報Ｃを新たな付加情報として追加し、情報Ａを情報Ａ＋Ｃに更新することを最も主要な特徴とする。
【発明の効果】
【０００８】
本発明は、第１の装置が有する情報Ａと第２の装置から受信した情報Ｂの差分情報Ｃが検出された場合に差分情報Ｃだけを新たな付加情報として追加するので、従来に比べて記憶装置の容量を大幅に低減できる。その結果、必要な情報を一度に大量に収集することができるようになる。
【発明を実施するための最良の形態】
【０００９】
以下、本発明の実施の形態について説明する。
図１に、本発明を実施した情報伝達システムの概念図を示す。
情報伝達システムは、第１の装置としての情報端末１０Ａを搭載する車両Ａと第２の装置としての情報端末１０Ｂを搭載する車両Ｂが無線通信可能な距離に近付いたとき、情報端末１０（１０Ａ、１０Ｂ）同士をアドホック（その場限り）に接続して所定のプロトコルに従って双方向の無線通信を行い、車両Ａの要求に応じて車両Ｂが保有する情報を車両Ａに伝達する。
情報端末１０は、ナビゲーション機能と小電力近距離無線通信機能を有し、車載タイプ、携帯タイプのいずれであってもよい。
【００１０】
図２は、実施の形態における情報端末の構成図である。
情報端末１０は、ナビゲーション部１１、入力部１２、表示部１３、通信制御部１４、データ保存部１５、口コミ情報管理部２０の各要素で構成する。
ナビゲーション部１１は、表示部１３に地図情報とともにＧＰＳアンテナ、ジャイロ、速度センサなどから得られるデータをもとに現在位置、進行方向を表示し、指定した目的地にユーザを案内する。
【００１１】
入力部１２は、ジョイスティックなどを備えてユーザのリクエスト情報や口コミ情報を入力する。
表示部１３は、液晶画面などを備えて入力部１２の入力情報、通信制御部１４の受信情報、ナビゲーション部１１のナビゲーション情報などを表示する。
通信制御部１４は、例えば２４ＧＨｚ帯のＩＳＭバンドを使用して通信距離１０〜１００ｍ、送信時消費電力２０〜１００ｍＷの無線通信を行う。
データ保存部１５は、メモリスティック、スマートメディア、ＳＤメモリカードなどの記憶装置を備えてユーザの口コミ情報や他（例えば情報センター）から受信した口コミ情報を保存する。
口コミ情報管理部２０は、データ保存部１５に保存されているユーザの口コミ情報や他（例えば情報センター）から受信した口コミ情報の更新制御を行う。
【００１２】
図３に、口コミ情報管理部の構成図を示す。
口コミ情報管理部２０は、リクエスト作成部２１、情報作成部２２、情報更新部２３、差分検出部２４、差分更新部２５、情報検索部２６、書込み制御部２７、情報削除判定部２８の各要素で構成する。
【００１３】
リクエスト作成部２１は、ユーザの入手したい口コミ情報のジャンル・エリアを要素データにしてリクエスト情報を作成する。
リクエスト情報の入力方法として、図４に示すように、例えばあらかじめデータ保存部１５に保存されている場所やジャンルのリストボックスを表示部１３に表示させ、ユーザはそれから選択する。このとき、場所は北海道、東京、沖縄などの都道府県名、新宿、渋谷、八王子などの区市町村名、渋谷、原宿、代々木などの地域名が階層別にデータ保存部１５に保存されており、これらが順次に表示される。また、ジャンルは遊ぶ、食べる、観るなどのカテゴリ、中華、ラーメン、イタリアンなどの店・施設の種別が同様に保存され、これらが順次に表示される。
【００１４】
情報作成部２２は、ユーザの投稿したい口コミ情報を新規に作成する。
口コミ情報の作成方法として、例えばユーザが表示部１３に表示されたリストボックスの中から所望のジャンル・エリアを選択し、次に投稿したい店・施設名、位置情報、コメントなどを入力する。
位置情報の入力は住所を直接入力するか、ナビゲーションの目的地設定などで選択してもよい。
【００１５】
情報更新部２３は、データ保存部１５に保存されている口コミ情報の中に情報作成部２２が作成したユーザの口コミ情報を新規に追加する。
口コミ情報の追加は、新しい店・施設を登録して行う場合と、既に登録されている店・施設に対して行う場合がある。
既に登録されている店・施設に対して行う場合は、その店・施設のお勧め度をアップさせるための口コミ投稿を行うことになる。
【００１６】
差分検出部２４は、通信制御部１４が受信した口コミ情報とデータ保存部１５に保存されている口コミ情報の情報源を比較し、異なる情報源の口コミ情報を検出する。
差分更新部２５は、差分検出部２４が検出した異なる情報源の口コミ情報だけをデータ保存部１５に保存する。
【００１７】
情報検索部２６は、データ保存部１５に保存されている口コミ情報の中から通信制御部１４が受信したリクエスト情報のジャンル・エリアと一致するものを検索する。
【００１８】
書込み制御部２７は、ユーザがこれまで投稿した口コミ情報の店・施設名と位置情報を履歴としてデータ保存部１５に保存し、ユーザの口コミ情報を新規に追加する場合はこれらの履歴を参照して同一の店・施設に対する口コミ投稿が過去にある場合はその口コミ情報の追加を制限する（２重投稿禁止）。これにより、作為的にその店・施設のお勧め度をアップさせることを目的にした不正投稿を防止する。
【００１９】
情報削除判定部２８は、ユーザ毎に削除すべき口コミ情報の条件を決定し、データ保存部１５に保存されている口コミ情報の中から例えばユーザが居住するエリア以外の口コミ情報を一括削除する。
これにより、情報伝達を繰り返すうちに大量に蓄積される情報の一部を削除して記憶装置のメモリ利用効率を高めることができる。
このとき、無条件に削除すると情報が成長していかないので、ユーザの居住地域などを条件として情報の一部を削除する。
ユーザが居住するエリアを特定する方法としては、ユーザが直接住所を入力するか、あるいは車載タイプのものであれば夜間停車している時間が長い場所をＧＰＳの緯度経度情報から自動認識してもよい。
【００２０】
図５に、口コミ情報のデータ構造図を示す。
口コミ情報は、ヘッダ部と複数のレコードからなるデータ部で構成する。
ヘッダ部にはジャンル、エリア、公開許可フラグの各アイテムを格納する。
レコードにはカウント、店・施設名、位置情報の各アイテムと、それらに対応する複数の端末ＩＤ、コメントを格納する。
【００２１】
ジャンルは、口コミ情報がどのジャンルに属しているかを示し、例えば中華、ラーメン、イタリアンなどの店・施設の種別を表す。
エリアは、口コミ情報がどのエリアに属しているかを示し、例えば渋谷、原宿、代々木などの店・施設の所在地域を表す。
公開許可フラグは、口コミ情報が公開可能かどうかをジャンル・エリア毎に識別し、例えば１（公開）、０（非公開）などのフラグで区分する。
公開許可フラグの設定方法として、図６に示すように、例えばデータ保存部１５に保存されている口コミ情報の一覧を表示部１３に表示させ、そこで口コミ情報の公開許可を設定することができる。
【００２２】
カウントは、データ部に登録されている店・施設のお勧め度を示す情報で、ユーザが口コミ情報を投稿することでカウントが上がっていく。従って、データ部に格納されている端末ＩＤの個数とカウント数は一致する。
店・施設名は、データ部に登録されている店・施設の屋号や名称を表すものである。
位置情報は、データ部に登録されている店・施設の所在場所を表し、通常の住所の他にＧＰＳから得られる緯度経度情報を用いてもよい。
【００２３】
端末ＩＤは、情報端末１０毎に異なるＩＤで、データ部に登録されている店・施設に投稿された口コミ情報の情報源を特定するものである。
コメントは、データ部に登録されている店・施設に投稿された口コミ情報の内容を表すものである。
【００２４】
図７に、車両Ａ、Ｂ間の情報伝達処理のシーケンスフローを示す。
最初に、ステップ１０１において車両Ａは通信エリア内にある全ての情報端末１０を認識するために所定の問い合わせ信号を連続的に送信（ブロードキャスト）する。
これに対し、ステップ１０２において車両Ｂは所定の応答信号を返信する。
このとき、車両Ｂを含め通信エリア内にある全ての車両の情報端末１０が多数同時応答するが、それぞれの応答タイミングをずらせることによって衝突を防ぎ、１対１の問い合わせ応答をサイクリックに行う。これにより、車両Ａは通信エリア内にある全ての情報端末１０を検出することができる。
【００２５】
次に、ステップ１０３において車両Ａは車両Ｂのアドレスを指定して所定の呼び出し信号を送信する。
これに対し、ステップ１０４において車両Ｂは所定の応答信号を返信する。
以上により車両Ａ、Ｂ間の通信リンクが確立するが、その他の車両との間の通信リンクの確立は車両Ａ、Ｂ間の情報伝達が終了した後、車両Ａが次の車両のアドレスを順番に指定しながら順次とり行う。
【００２６】
次に、ステップ１０５において車両Ａは入手したい口コミ情報のリクエスト情報を車両Ｂに送信する。
これに対し、ステップ１０６において車両ＢがＡＣＫ（受信確認）信号を返信すると、
次に、ステップ１０７において車両Ａは口コミ情報転送依頼信号を車両Ｂに送信する。
これに対し、ステップ１０８において車両Ｂがリクエスト情報にマッチした口コミ情報を車両Ａに送信する。
【００２７】
次に、車両Ａは差分更新処理を行って自己の口コミ情報を更新し、ステップ１０９において更新後口コミ情報転送許可信号を車両Ｂに送信する。
これに対し、ステップ１１０において車両ＢがＡＣＫ信号を返信すると、次に、ステップ１１１において車両Ａは更新後の口コミ情報を車両Ｂに転送する。
【００２８】
図８に、車両Ａが車両Ｂから口コミ情報を受信するときの処理の流れをフローチャートにして示す。
まず、ステップ２０１において車両Ａのリクエスト作成部２１は入力部１２より入力されたジャンル・エリアを要素データにしてリクエスト情報を作成する。
次に、ステップ２０２において例えばユーザが入力部１２あるいは表示部１３に設けた「送信ボタン」を押すと、通信制御部１４を介してリクエスト情報を車両Ｂに送信する。
【００２９】
次に、ステップ２０３においてリクエスト情報のＡＣＫ信号を受信したかどうかを判定し、ＡＣＫ信号を受信した場合はステップ２０４において通信制御部１４を介して口コミ情報転送依頼信号を車両Ｂに送信する。
ＮＡＫ信号を受信した場合あるいは無応答を検出した場合はリクエスト情報を再送し、ステップ２０５において一定回数再送を繰り返してもＡＣＫ信号を受信しない場合は通信リンクを解除して処理を中止する。
【００３０】
次に、ステップ２０６において口コミ情報を受信したかどうかを判定し、受信した場合はステップ２０７において差分更新処理を行い、受信しない場合はステップ２０８において一定時間経過したかどうかを判定し、経過した場合は通信リンクを解除して処理を中止する。
経過しない場合はステップ２０６に戻って口コミ情報を待ち受ける。
差分更新処理については後で図１０のフローチャートを参照して詳細に説明する。
【００３１】
次に、ステップ２０９において通信制御部１４を介して車両Ｂに更新後口コミ情報転送許可信号を送信する。
次に、ステップ２１０において更新後口コミ情報転送許可信号に対するＡＣＫ信号を受信したかどうかを判定し、ＡＣＫ信号を受信した場合はステップ２１１において通信制御部１４を介して更新後の口コミ情報を車両Ｂに送信する。ＮＡＫ信号を受信した場合あるいは無応答を検出した場合は更新後口コミ情報転送許可信号を再送し、ステップ２１２において一定回数再送を繰り返してもＡＣＫ信号を受信しない場合は通信リンクを解除して処理を中止する。
【００３２】
図９に、車両Ｂが車両Ａへ口コミ情報を送信するときの処理の流れをフローチャートにして示す。
まず、ステップ３０１において車両Ｂの通信制御部１４は車両Ａからリクエスト情報を受信したかどうかを判定し、受信しない場合はステップ３０２において一定時間経過したかどうかを判定し、経過した場合は通信リンクを解除して処理を中止する。経過しない場合はステップ３０１に戻ってリクエスト情報を待ち受ける。
【００３３】
リクエスト情報を受信した場合はステップ３０３において情報検索部２６はデータ保存部１５を検索してリクエストにマッチする口コミ情報があるかどうかを判定し、マッチする口コミ情報がある場合はステップ３０４において通信制御部１４を介してＡＣＫ信号を車両Ａに送信する。
マッチする口コミ情報がない場合はステップ３０５においてＮＡＫ信号を送信し、処理を中止する。マッチする口コミ情報があっても、すべて公開許可フラグが「０」（非公開）の場合はＮＡＫ信号を送信する。
【００３４】
次に、ステップ３０６において口コミ情報転送依頼信号を受信したかどうかを判定し、受信した場合はステップ３０７において通信制御部１４を介してリクエストにマッチした口コミ情報を車両Ａに送信する。受信しない場合はステップ３０８において一定時間経過したかどうかを判定し、経過した場合は通信リンクを解除して処理を中止する。経過しない場合はステップ３０６に戻って口コミ情報転送依頼信号を待ち受ける。
【００３５】
次に、ステップ３０９において更新後口コミ情報転送許可信号を受信したかどうかを判定し、受信した場合はステップ３１０において通信制御部１４を介してＡＣＫ信号を車両Ａに送信する。受信しない場合はステップ３１１において一定時間経過したかどうかを判定し、経過した場合は通信リンクを解除して処理を中止する。経過しない場合はステップ３０９に戻って更新後口コミ情報転送許可信号を待ち受ける。
【００３６】
次に、ステップ３１２において更新後の口コミ情報を受信したかどうかを判定し、受信した場合はステップ３１３において情報更新部２３を介して受信した更新後の口コミ情報をデータ保存部１５に上書き保存する。受信しない場合はステップ３１４において一定時間経過したかどうかを判定し、経過した場合は通信リンクを解除して処理を中止する。経過しない場合はステップ３１２に戻って更新後の口コミ情報を待ち受ける。
【００３７】
図１０に、差分更新処理のフローチャートを示す。
まず、ステップ４０１において差分検出部２４は受信した車両Ｂに保存されていた口コミ情報（以下、情報Ｂと呼ぶ）のヘッダがリクエストにマッチして正しいかどうかを判定し、正しくない場合は処理を終了する。
ヘッダがマッチして正しい場合は、ステップ４０２において車両Ａに保存されている口コミ情報（以下、情報Ａと呼ぶ）の位置情報と情報Ｂの位置情報を全て比較し、情報Ａに含まれていない位置情報がある場合はその異なる位置情報をステップ４０３において新たな付加情報として情報Ａに追加して、ステップ４０２へ戻る。
【００３８】
このとき、情報Ａに追加した異なる位置情報の情報Ｂを表示部１３に表示する。位置情報はナビゲーション部１１に送出して口コミ情報に登録されている店・施設までナビゲーションすることもできる。
こうして情報Ａが情報Ｂにあるすべての位置情報を含むものとなった場合は、ステップ４０２からステップ４０４へ進む。
【００３９】
ステップ４０４においては、同じ位置情報について情報Ａの端末ＩＤと情報Ｂの端末ＩＤを全て比較する。
両情報間に異なるものがあれば、ステップ４０５において、その端末ＩＤを新たな付加情報として情報Ａに付加する。また、情報Ａに追加した異なる端末ＩＤの情報Ｂを表示部１３に表示する。なお、両情報において同一の端末ＩＤについては付加を行わない。
【００４０】
続いて、ステップ４０６において新たな端末ＩＤを追加した位置情報のカウントを更新する。これにより情報Ａの更新が完了する。このあと、ステップ２０９へ進む。
なお、ステップ４０４の比較で、両情報間の端末ＩＤがすべて同じである場合は、更新不要として、そのままステップ２０９へ進む。
これにより、情報伝達後の車両Ａと車両Ｂの口コミ情報の内容が同じものになる。
そのため、収集活動をしていない車両Ｂの口コミ情報も自動的に成長し、車両間における情報伝達のスピードが加速される。
【００４１】
以上の差分更新処理により、例えば図１１に示すように、情報Ａの位置情報が（Ｘ１、Ｘ２、Ｘ３）で、情報Ｂの位置情報が（Ｘ１、Ｘ２、Ｘ４）であった場合、情報Ｂのうち情報Ａに含まれていない異なる位置情報（Ｘ４）だけが情報Ａに追加される。次に、同じ位置情報（Ｘ１、Ｘ２）の情報Ａと情報Ｂの端末ＩＤ（Ａ、Ｂ、ＣとＡ、Ｘ／Ｄ、Ｅ、ＦとＤ、Ｅ、Ｙ）が比較され、情報Ａに含まれていない異なる端末ＩＤ（Ｘ／Ｙ）だけが情報Ａに追加される。このとき、端末ＩＤ（Ｘ／Ｙ）を追加した位置情報（Ｘ１／Ｘ２）のカウントがそれぞれ３から４へアップされる。
また、更新後の情報Ａが車両Ｂへ送信された場合は、情報Ｂに情報Ａが上書きされて情報Ａ＝情報Ｂとなる。
【００４２】
なお、ユーザが入力する店・施設名は必ずしも一致するとは限らないので、店・施設が同じかどうかの判定は位置情報をもとに比較する。このとき、位置情報の多少の誤差も考慮する。
【００４３】
また、車両Ａの送信したリクエスト情報が複数の車両Ｂの口コミ情報と車両Ｃの口コミ情報（以下、情報Ｃと呼ぶ）にマッチした場合、車両Ａは車両Ｂと車両Ｃの両方の口コミ情報を受信する。
このとき、はじめに受信した情報Ｂを用いて差分更新処理を行い、更新後の情報と次に受信した情報Ｃを用いて再度差分更新処理を行う。従って、情報Ａは情報Ｂと情報Ｃで更新した情報となる。次に、車両Ａは更新後の情報を再度車両Ｂと車両Ｃへ送信する。
車両Ｂと車両Ｃは受信した情報を情報Ｂと情報Ｃに上書き更新する。この操作によって、車両Ａ、車両Ｂ、車両Ｃともそれぞれの差分情報を反映した口コミ情報となる。
【００４４】
本実施の形態では、図９のフローチャートのステップ３０７が発明における第２の装置の送信手段を構成し、図１０のステップ４０２と４０４が比較手段を、ステップ４０３、４０５および４０６が第１の装置の更新手段を、構成している。また、図８のステップ２１１が第１の装置の送信手段を構成し、図９のステップ３１３が第２の装置の更新手段を構成している。
さらに、図７のステップ１０１〜１０４が発明における接続ステップを形成し、図９のステップ３０７が第１の送信ステップを、図１０のステップ４０２と４０４が比較ステップを、ステップ４０３、４０５および４０６が第１の更新ステップを形成する。また、図８のステップ２１１が第２の送信ステップを形成し、図９のステップ３１３が第２の更新ステップを形成している。
【００４５】
実施の形態は以上のように構成され、車両Ａが有する情報Ａと車両Ｂから受信した情報の差分情報が検出された場合に当該差分情報だけを新たな付加情報として追加更新するので、従来に比べてデータ保存部１５の容量を大幅に低減できる。その結果、必要な情報を一度に大量に収集することができるようになる。
【００４６】
さらに、情報をリクエストした車両Ａから更新後の情報を車両Ｂへ送信し、車両Ｂではこの車両Ａから受信した情報を新たな保有情報として上書き更新するので、車両Ｂ側でも自動的に保有する情報を成長させることができる。
また、リクエストに応答して情報を送信する場合、ヘッダに公開可否のフラグを付しているので、送信に際して公開否とした情報は送信しないようにすることができる。
さらに、リクエストにはジャンルやエリアの収集条件を付けるので、必要な情報だけを入手でき、送信時間が短く、情報更新の負荷も小さくて済む。
【図面の簡単な説明】
【００４７】
【図１】本発明を実施した情報伝達システムの概念図である。
【図２】本発明を実施した情報端末の構成図である。
【図３】口コミ情報管理部の構成図である。
【図４】リクエスト情報の入力方法を説明する模式図である。
【図５】口コミ情報のデータ構造図である。
【図６】公開許可フラグの設定方法を説明する模式図である。
【図７】情報伝達処理のシーケンスフローである。
【図８】車両Ａが車両Ｂから口コミ情報を受信するときのフローチャーである。
【図９】車両Ｂが車両Ａへ口コミ情報を送信するときのフローチャートである。
【図１０】差分更新処理のフローチャートである。
【図１１】情報Ａと情報Ｂの更新前と更新後のデータ例を示す図である。
【符号の説明】
【００４８】
１０、１０Ａ、１０Ｂ    情報端末
１１          ナビゲーション部
１２          入力部
１３          表示部
１４          通信制御部（接続手段）
１５          データ保存部
２０          口コミ情報管理部
２１          リクエスト作成部
２２          情報作成部
２３          情報更新部
２４          差分検出部
２５          差分更新部
２６          情報検索部
２７          書込み制御部
２８          情報削除判定部
【図１】
2005159398.tif 000003
【図２】
2005159398.tif 000004
【図３】
2005159398.tif 000005
【図４】
2005159398.tif 000006
【図５】
2005159398.tif 000007
【図６】
2005159398.tif 000008
【図７】
2005159398.tif 000009
【図８】
2005159398.tif 000010
【図９】
2005159398.tif 000011
【図１０】
2005159398.tif 000012
【図１１】
2005159398.tif 000013